(57)【要約】【課題】ユーザビリティに優れた投射型画像表示装置を提供する。【解決手段】この投射型画像表示装置１は、待機モードと画像表示モードとを含む複数の動作モードで動作する投射型画像表示装置であって、画像信号を受信する画像信号受信部１０と、画像信号受信部で受信した画像信号に基づいて、画像を表示するための処理を行う画像表示処理部２０と、動作モードが待機モードに設定されている場合には画像表示処理部に電力を供給せず、動作モードが画像表示モードに設定されている場合には画像表示処理部に電力を供給する電力供給制御部６０と、を含む。電力供給制御部６０は、動作モードが待機モードに設定されているときに、画像受信部に画像信号が入力されたことを検出すると、画像表示処理部への電力供給を開始する。【選択図】図１
2008242005.tif 000002
【特許請求の範囲】
【請求項１】
待機モードと画像表示モードとを含む複数の動作モードに設定されて動作する投射型画像表示装置であって、
画像信号を受信する画像信号受信部と、
前記画像信号受信部で受信した前記画像信号に基づいて、画像を表示するための処理を行う画像表示処理部と、
前記動作モードが前記待機モードに設定されている場合には前記画像表示処理部に電力を供給せず、前記動作モードが前記画像表示モードに設定されている場合には前記画像表示処理部に電力を供給する電力供給制御部と、
を含み、
前記電力供給制御部は、
前記動作モードが前記待機モードに設定されているときに、前記画像受信部に前記画像信号が入力されたことを検出すると、前記画像表示処理部への電力供給を開始する投射型画像表示装置。
【請求項２】
請求項１記載の投射型画像表示装置において、
前記電力供給制御部は、
前記動作モードが前記画像表示モードに設定されているときに、前記画像受信部への前記画像信号の入力が停止したことを検出すると、前記画像表示処理部への電力供給を停止する投射型画像表示装置。
【請求項３】
請求項１又は請求項２記載の投射型画像表示装置において、
電動スクリーンを開張又は収納させるための制御信号を出力する電動スクリーン制御部をさらに含み、
前記電動スクリーン制御部は、
前記動作モードが前記待機モードに設定されているときに、前記画像受信部に前記画像信号が入力されたことを検出すると、前記電動スクリーンを開張させる制御信号を出力する投射型画像表示装置。
【請求項４】
請求項１又は請求項２記載の投射型画像表示装置において、
電動スクリーンを開張又は収納させるための制御信号を出力する電動スクリーン制御部をさらに含み、
前記電動スクリーン制御部は、
前記動作モードが前記画像表示モードに設定されているときに、前記画像受信部への前記画像信号の入力が停止したことを検出すると、前記電動スクリーンを収納させる制御信号を出力する投射型画像表示装置。
【請求項５】
請求項１から請求項４のいずれかに記載の投射型画像表示装置において、
前記画像信号受信部は、複数種類の画像入力端子に電気的に接続されており、
前記画像信号受信部が受信した前記画像信号の種類情報に基づいて、いずれかの前記画像入力端子を選択する選択処理部をさらに含む投射型画像表示装置。
【請求項６】
請求項５記載の投射型画像表示装置において、
前記選択処理部は、
複数種類の画像入力端子の優先順位を示す優先順位情報に基づいて、前記画像入力端子を選択する投射型画像表示装置。
【発明の詳細な説明】
【技術分野】
【０００１】
本発明は、投射型画像表示装置に関する。
【背景技術】
【０００２】
ユーザに画像を視覚させるために、スクリーン等に画像を投射する投射型画像表示装置が知られている。
【０００３】
通常、投射型画像表示装置を利用する際には、投射型画像表示装置の他に、投射型画像表示装置に画像信号を入力するための機器（ＤＶＤプレーヤーやパーソナルコンピュータ、デジタルカメラ、デジタルビデオ、ゲーム機等）や、画像を投射するためのスクリーン等を操作する必要がある。
【特許文献１】特開２００５−４３６８３号公報
【発明の開示】
【発明が解決しようとする課題】
【０００４】
投射型画像表示装置のユーザビリティを向上させるためには、視聴開始までに要するユーザの操作を減らすことが重要である。
【０００５】
本発明は、ユーザビリティに優れた投射型画像表示装置を提供することにある。
【課題を解決するための手段】
【０００６】
（１）本発明に係る投射型画像表示装置は、
待機モードと画像表示モードとを含む複数の動作モードに設定されて動作する投射型画像表示装置であって、
画像信号を受信する画像信号受信部と、
前記画像信号受信部で受信した前記画像信号に基づいて、画像を表示するための処理を行う画像表示処理部と、
前記動作モードが前記待機モードに設定されている場合には前記画像表示処理部に電力を供給せず、前記動作モードが前記画像表示モードに設定されている場合には前記画像表示処理部に電力を供給する電力供給制御部と、
を含み、
前記電力供給制御部は、
前記動作モードが前記待機モードに設定されているときに、前記画像受信部に前記画像信号が入力されたことを検出すると、前記画像表示処理部への電力供給を開始する。
【０００７】
本発明に係る投射型画像表示装置は、画像信号受信部に画像信号が入力されると、画像表示処理部に電力が供給される。そして、画像表示処理部は、電力が供給されることによって、画像表示処理が可能な状態（画像投射モード）となる。すなわち、この投射型画像表示装置によると、ユーザの操作がなくても、画像信号が入力されたことをトリガとして、画像表示処理が可能な状態に設定される。そのため、画像表示処理を開始するまでに必要なユーザの操作を、少なくすることができる。
【０００８】
また、本発明に係る投射型画像表示装置は、画像信号受信部（画像信号受信部に画像信号が入力したことを検出する検出部）のみに電力を供給することで、待機モードの動作が可能になる。そのため、待機モードの消費電力を小さくすることができる。
【０００９】
（２）この投射型画像表示装置において、
前記電力供給制御部は、
前記動作モードが前記画像表示モードに設定されているときに、前記画像受信部への前記画像信号の入力が停止したことを検出すると、前記画像表示処理部への電力供給を停止してもよい。
【００１０】
これによると、画像受信部への画像信号の入力が停止したときに、画像表示処理部への電力の供給が停止される。すなわち、ユーザの操作がなくても、動作モードを待機モードに移行させることが可能な、ユーザビリティに優れた投射型画像表示装置を提供することができる。
【００１１】
また、これによると、画像信号受信部への画像信号の入力が停止すると、直ちに、画像表示処理部への電力の供給を停止する処理を開始することができる。そのため、消費電力を低下させることが可能な、投射型画像表示装置を提供することができる。
【００１２】
（３）この投射型画像表示装置において、
電動スクリーンを開張又は収納させるための制御信号を出力する電動スクリーン制御部をさらに含み、
前記電動スクリーン制御部は、
前記動作モードが前記待機モードに設定されているときに、前記画像受信部に前記画像信号が入力されたことを検出すると、前記電動スクリーンを開張させる制御信号を出力してもよい。
【００１３】
これによると、投射型画像表示装置が電動スクリーンを操作するため、ユーザが電動スクリーンを操作する必要がなくなる。すなわち、本発明によると、ユーザの操作を減少させることが可能な、ユーザビリティに優れた投射型画像表示装置（投射型画像表示システム）を提供することができる。
【００１４】
（４）この投射型画像表示装置において、
電動スクリーンを開張又は収納させるための制御信号を出力する電動スクリーン制御部をさらに含み、
前記電動スクリーン制御部は、
前記動作モードが前記画像表示モードに設定されているときに、前記画像受信部への前記画像信号の入力が停止したことを検出すると、前記電動スクリーンを収納させる制御信号を出力してもよい。
【００１５】
これによると、投射型画像表示装置が電動スクリーンを操作するため、ユーザが電動スクリーンを操作する必要がなくなる。すなわち、本発明によると、ユーザの操作を減少させることが可能な、ユーザビリティに優れた投射型画像表示装置（投射型画像表示システム）を提供することができる。
【００１６】
（５）この投射型画像表示装置において、
前記画像信号受信部は、複数種類の画像入力端子に電気的に接続されており、
前記画像信号受信部が受信した前記画像信号の種類情報に基づいて、いずれかの前記画像入力端子を選択する選択処理部をさらに含んでいてもよい。
【００１７】
これによると、ユーザが、画像信号受信部に入力される画像信号の種類に応じて、画像入力端子（画像入力モード）を選択する操作を行う必要がなくなる。すなわち、本発明によると、ユーザの操作を減少させることが可能な、ユーザビリティに優れた投射型画像表示装置（投射型画像表示システム）を提供することができる。
【００１８】
なお、この投射型画像表示装置は、画像信号を入力するための複数のケーブルが常に接続されている、ホール等に常設されるプロジェクタであってもよい。
【００１９】
（６）この投射型画像表示装置において、
前記選択処理部は、
複数種類の画像入力端子の優先順位を示す優先順位情報に基づいて、前記画像入力端子を選択してもよい。
【発明を実施するための最良の形態】
【００２０】
以下、本発明を適用した実施の形態について図面を参照して説明する。ただし、本発明は以下の実施の形態に限定されるものではない。また、本発明は、以下の実施の形態及び変形例を自由に組み合わせたものを含むものとする。
【００２１】
以下、本発明を適用した実施の形態に係る投射型画像表示装置１について説明する。本実施の形態に係る投射型画像表示装置１は、待機モードと画像表示モードを含む複数の動作モードに設定されて動作する。ここで、待機モードとは、投射型画像表示装置１が画像を表示する動作を行わない状態を指す。投射型画像表示装置１の省電力化を実現するためには、投射型画像表示装置１が待機モードにあるときに、投射型画像表示装置１の消費電力を極力削減することが好ましい。また、画像表示モードとは、投射型画像表示装置１が画像を表示する動作を行う状態を指す。画像表示モードとは、例えば、画像表示処理部２０（放電灯ユニット３０又は画像処理ユニット４０）に電力が供給されている状態を指してもよい。以下、図１〜図６を参照して、投射型画像表示装置１について説明する。
【００２２】
本実施の形態に係る投射型画像表示装置１は、図１に示すように、画像信号を受信する画像信号受信部１０を含む。本実施の形態では、画像信号受信部１０は、複数種類の画像信号を受信することが可能に構成されていてもよい。すなわち、画像信号受信部１０は、複数の画像入力端子に電気的に接続されて、これらの複数の画像入力端子を介して入力される画像信号を受信可能に構成されていてもよい。画像信号受信部１０は、具体的には、ＨＤＭＩやコンポーネント、Ｄ端子、Ｓ端子、コンポジット、Ｄ−Ｓｕｂ等用の画像入力端子に電気的に接続され、これらの端子（インターフェース）を介して画像信号を受信可能に構成されていてもよい。
【００２３】
本実施の形態に係る投射型画像表示装置１は、図１に示すように、画像信号受信部１０が画像信号を受信したことを検出する検出部１２を含んでいてもよい。検出部１２は、画像信号受信部１０が画像信号を受信したことを検出して（投射型画像表示装置１に画像信号が入力されたことを検出して）、検出信号を出力するように構成されていてもよい。
【００２４】
本実施の形態に係る投射型画像表示装置１は、図１に示すように、放電灯ユニット３０を含む。放電灯ユニット３０は、放電灯３２と、放電灯３２の制御を行う放電灯制御部３４とを含む。放電灯３２は、白色光を出射する光源であってもよい。放電灯制御部３４は、放電灯３２を起動させ、点灯させ、消灯させるための制御を行う。放電灯制御部３４は、放電灯３２に駆動電力を供給する制御を行ってもよい。放電灯制御部３４は、所定のハードウエア回路によって実現してもよい。
【００２５】
本実施の形態に係る投射型画像表示装置１は、図１に示すように、画像処理ユニット４０を含む。画像処理ユニット４０は、投射型画像表示装置１に所与の画像を表示させるための処理を行う。以下、画像処理ユニット４０について説明する。
【００２６】
画像処理ユニット４０は、放電灯３２から出射される光を変調させる変調部４２を含む。変調部４２は、放電灯３２から出射した光（白色光）を変調させることによって、所定の画像を生成する。すなわち、放電灯３２から出射されて、変調部４２で変調された光（変調部４２を透過した光）が、投射レンズ３６を介してスクリーン（電動スクリーン７２）などに投射されて所望の画像となる。
【００２７】
画像処理ユニット４０は、また、変調部４２の駆動を制御する駆動制御部４４を含む。駆動制御部４４は、変調部４２の駆動を制御して、所望の画像を生成させるための処理を行う。
【００２８】
本実施の形態では、変調部４２及び駆動制御部４４は、特定の技術に限られるものではなく、既に公知となっているいずれかの技術を適用することができる。例えば変調部４２は液晶パネルを含んでいてもよい。そして、駆動制御部４４は、該液晶パネルを制御するＬＣＤドライバであってもよい。駆動制御部４４で、液晶パネルの画素毎の光の透過率を設定することで、所望の画像を生成することができる。
【００２９】
なお、変調部４２は、放電灯３２から出射された光（白色光）をＲＧＢの各色光に分離する分離光学系と、分離されたそれぞれの各色光をそれぞれ変調させる液晶パネル（３個の液晶パネル）を含んでいてもよい。そして、画像処理ユニット４０は、液晶パネルを透過したＲＧＢの各成分の光を合成することで、所望の画像を生成するように構成されていてもよい。
【００３０】
画像処理ユニット４０は、また、画像処理部４６を含む。画像処理部４６は、画像信号受信部１０で受信した画像信号に所定の処理を行い、駆動制御部４４に入力されるデータを生成する処理を行う。すなわち、駆動制御部４４は、画像処理部４６から出力された信号に基づいて、変調部４２の駆動を制御する処理を行う。
【００３１】
本実施の形態に係る投射型画像表示装置１は、図１に示すように、選択処理部５０を含んでいてもよい。選択処理部５０は、画像信号受信部１０が複数の画像入力端子に接続されているときに、画像信号受信部１０が受信した画像信号の種類情報に基づいて、いずれかの画像入力端子（いずれかの画像入力端子を介して入力された画像信号）を選択する処理を行う。そして、投射型画像表示装置１では、選択処理部５０で選択された画像入力端子を介して入力された画像信号が画像処理部４６（画像処理ユニット４０）に送信され、所与の画像が表示される。選択処理部５０は、画像信号受信部１０が単一種類の信号を受信している場合には当該画像信号を入力する画像入力端子を選択し、当該画像信号が画像処理部４６に送信される。選択処理部５０は、また、画像信号受信部１０が複数種類の画像信号を受信している場合にはいずれかの画像信号を入力する画像入力端子を選択し、選択された画像入力端子を介して入力された画像信号が、画像処理部４６に送信される。選択処理部５０を利用することで、ユーザが画像入力端子（画像信号）を選択する操作を行う必要がなくなるため、投射型画像表示装置１が表示を開始するまでに必要なユーザの操作を少なくすることができる。なお、選択処理部５０は、予め設定された、複数種類の画像入力端子（画像信号）の優先順位を示す優先順位情報１００（表１参照）に基づいて、画像入力端子を選択してもよい。
【００３２】
【表１】
2008242005.tif 000003
【００３３】
なお、表１に示す優先順位情報１００は画像入力端子の優先順位の一例であり、本発明はこれに限られるものではない。また、変形例として、投射型画像表示装置は、選択処理部５０を有しない構成をなしていてもよい。
【００３４】
本実施の形態に係る投射型画像表示装置１は、図１に示すように、電力供給制御部６０を含む。電力供給制御部６０は、投射型画像表示装置１が待機モードに設定されている場合には画像表示処理部２０に電力を供給せず、投射型画像表示装置１が画像表示モードに設定されている場合には画像表示処理部２０に電力を供給する。すなわち、電力供給制御部６０は、画像表示処理部２０への電力の供給を制御する役割を果たしていてもよい。
【００３５】
電力供給制御部６０は、投射型画像表示装置１の動作モードが待機モードに設定されているときに、画像信号受信部１０に画像信号が入力されたことを検出すると、画像表示処理部２０に電力を供給する処理を開始する。これにより、画像表示処理部２０は動作可能に設定され、投射型画像表示装置１で、画像を表示することが可能になる。すなわち、投射型画像表示装置１の動作モードが、画像表示モードに移行する。
【００３６】
電力供給制御部６０は、また、投射型画像表示装置１の動作モードが画像表示モードに設定されているときに、画像信号受信部１０への画像信号の入力が停止したことを検出すると、画像表示処理部２０に電力を供給する処理を停止する。これにより、投射型画像表示装置１の動作モードが、待機モードに移行する。
【００３７】
なお、画像表示処理部２０とは、投射型画像表示装置１において、画像表示処理（画像投射処理）を行う処理部（制御回路）を指す。本実施の形態では、例えば、放電灯ユニット３０及び画像処理ユニット４０をあわせて、画像表示処理部２０と称してもよい。この場合、画像信号受信部１０に画像信号が入力されたことを検出すると、電力供給制御部６０から放電灯制御部３４に電力が供給され、放電灯制御部３４は放電灯３２を駆動させる処理を行い、放電灯３２から光（白色光）が出射される。また、電力供給制御部６０は、画像信号受信部１０に画像信号が入力されたことを検出すると、画像処理ユニット４０（駆動制御部４４及び画像処理部４６）に電力を供給し、画像処理ユニット４０が、放電灯３２から出力された光を変調させて所望の画像を表示させるための処理を行う。
【００３８】
ただし本発明はこれに限られるものではなく、例えば、画像処理ユニット４０のみを、画像表示処理部２０と称してもよい。あるいは、画像処理ユニット４０の一部（例えば、駆動制御部４４又は画像処理部４６のみ）を指して、画像表示処理部２０と称してもよい。あるいは、画像処理ユニット４０（放電灯ユニット３０及び画像処理ユニット４０）と選択処理部５０とをあわせて、画像表示処理部２０と称してもよい。
【００３９】
なお、本実施の形態に係る投射型画像表示装置１では、投射型画像表示装置１の動作モードに拘らず、検出部１２（画像信号受信部１０）には電力が供給されるように構成されていてもよい。これにより、投射型画像表示装置１が待機モードに設定されている場合に、画像信号受信部１０に画像信号が入力されたことを検出することができる。また、投射型画像表示装置１が画像表示モードに設定されている場合に、画像信号受信部１０への画像信号の入力が停止したことを検出することができる。なお、検出部１２（画像信号受信部１０）への電力の供給は、電力供給制御部６０を利用して行ってもよい。ただし、検出部１２（画像信号受信部１０）への電力の供給は、電力供給制御部６０とは別の電力供給装置（電力供給制御部）を利用して行ってもよい。
【００４０】
本実施の形態に係る投射型画像表示装置１は、図１に示すように、スクリーン制御部７０を含む。スクリーン制御部７０は、電動スクリーン７２を開張又は収納させるための制御信号を出力する。スクリーン制御部７０は、投射型画像表示装置１の動作モードが待機モードに設定されているときに、画像信号受信部１０に画像信号が入力したことを検出すると、電動スクリーン７２を開張させる制御信号を出力する。スクリーン制御部７０は、また、投射型画像表示装置１の動作モードが画像表示モードに設定されているときに、画像信号受信部１０への画像信号の入力が停止したことを検出すると、電動スクリーン７２を収納させる制御信号を出力する。これにより、ユーザが電動スクリーン７２を制御するための操作を行うことなく、電動スクリーン７２を動作させることができる。そのため、ユーザビリティに優れた投射型画像表示装置１を提供することができる。ただし、変形例として、投射型画像表示装置１は、スクリーン制御部７０を含まないように構成されていてもよい。スクリーン制御部７０は、ＣＰＵやメモリを含むマイクロコンピュータで所定のプログラムを実行することによって実現してもよく、専用のハードウエアで実現してもよい。
【００４１】
本実施の形態に係る投射型画像表示装置１は、図１に示すように、主制御部８０を含んでいてもよい。主制御部８０は、投射型画像表示装置１の動作を統括制御する役割を果たす。主制御部８０は、投射型画像表示装置１に、画像を表示させるための各処理を行ってもよい。主制御部８０は、駆動制御部４４及び画像処理部４６を動作させ、あるいは、選択処理部５０を動作させることによって、投射型画像表示装置１に画像を投射させてもよい。主制御部８０の機能は、ＣＰＵやメモリを含むマイクロコンピュータで所定のプログラムを実行することによって実現してもよい。
【００４２】
なお、本実施の形態に係る投射型画像表示装置１は、動作モードが待機モードに設定されているときに、主制御部８０への電力の供給が停止されるように構成されていてもよい。このとき、投射型画像表示装置１は、画像信号受信部１０に画像信号が入力されたことを検出して、主制御部８０への電力の供給が開始されるように構成されていてもよい。すなわち、主制御部８０は、画像表示処理部２０の一部であってもよい。これによると、待機モードにおける消費電力を低下させることができる。
【００４３】
本実施の形態に係る投射型画像表示装置１は、以上のように構成されていてもよい。図２には、投射型画像表示装置１の具体例としてのプロジェクタ２を示す。
【００４４】
次に、図３〜図６を参照して、本実施の形態に係る投射型画像表示装置１の動作について説明する。
【００４５】
図３は、投射型画像表示装置１の動作の概要について説明するための図である。
【００４６】
投射型画像表示装置１は、はじめに、動作モード（現在の動作モード）が待機モードであるか否かを判定する（ステップＳ１０）。待機モードであるか否かの判断は、例えば、画像信号受信部１０への画像信号の入力の有無に基づいて行ってもよい。
【００４７】
そして、投射型画像表示装置１の動作モードが待機モードに設定されている場合（ステップＳ１０におけるＹｅｓの場合）、画像信号受信部１０に画像信号が入力されたか否かを判断する（ステップＳ１２）。画像信号受信部１０に画像信号が入力されたことを検出すると（ステップＳ１２におけるＹｅｓの場合）、投射型画像表示装置１の動作モードを画像表示モードに設定する処理を行う（ステップＳ１４）。
【００４８】
逆に、投射型画像表示装置１の動作モードが画像表示モードに設定されている場合（ステップＳ１０におけるＮｏの場合）、画像信号受信部１０への画像信号の入力が停止されたか否かを判断する（ステップＳ１６）。画像信号受信部１０への画像信号の入力が停止されたことを検出すると（ステップＳ１６におけるＹｅｓの場合）、投射型画像表示装置１の動作モードを待機モードに設定する処理を行う（ステップＳ１８）。
【００４９】
次に、投射型画像表示装置１の動作モードを、待機モードから画像表示モードに変更（設定）する手順（ステップＳ１４）の詳細について説明する。図４は、投射型画像表示装置１の動作モードを、画像表示モードに変更する手順について説明するためのフローチャート図である。
【００５０】
本実施の形態に係る投射型画像表示装置１では、投射型画像表示装置１が待機モードに設定されているときに、画像信号受信部１０に画像信号が入力されたことを検出すると、電力供給制御部６０が、画像表示処理部２０に電力を供給する処理を開始する（ステップＳ２０）。
【００５１】
また、スクリーン制御部７０は、電動スクリーン７２を開張させるための制御信号を出力し、電動スクリーン７２を開張させる（ステップＳ２２）。
【００５２】
そして、選択処理部５０で画像入力端子を選択し（ステップＳ２４）、放電灯ユニット３０及び画像処理ユニット４０を動作させて、電動スクリーン７２に画像を表示させる（ステップＳ２６）。
【００５３】
以上の処理により、投射型画像表示装置１の動作モードを、画像表示モードに変更（設定）することができる。
【００５４】
次に、投射型画像表示装置１の動作モードを、画像表示モードから待機モードに変更する手順（ステップＳ１８）の詳細について説明する。図５は、投射型画像表示装置１の動作モードを、待機モードに変更する手順について説明するためのフローチャート図である。
【００５５】
投射型画像表示装置１が画像表示モードに設定されているときに、画像信号受信部１０への画像信号の入力が停止したことを検出すると、スクリーン制御部７０は、電動スクリーン７２を収納させるための制御信号を出力し、電動スクリーン７２を収納させる（ステップＳ３０）。
【００５６】
また、放電灯ユニット３０及び画像処理ユニット４０の動作を停止させるための処理を行い（ステップＳ３２）、電力供給制御部６０の画像表示処理部２０への電力の供給を停止する（ステップＳ３４）。
【００５７】
以上の処理により、投射型画像表示装置１の動作モードを、待機モードに変更（設定）することができる。
【００５８】
次に、投射型画像表示装置１（選択処理部５０）が、画像入力端子を選択する手順（ステップＳ２４）の詳細について説明する。図６は、選択処理部５０が画像入力端子を選択する手順について説明するためのフローチャート図である。
【００５９】
はじめに、画像信号受信部１０に入力された画像信号がデジタル信号であるか否かを判断する（ステップＳ５０）。そして、画像信号受信部１０に入力された画像信号がデジタル信号である場合（ステップＳ５０におけるＹｅｓの場合）、ＨＤＭＩを選択する（ステップＳ５２）。
【００６０】
画像信号受信部１０に入力された画像信号がデジタル信号でない場合（ステップＳ５０におけるＮｏの場合）、画像信号受信部１０に入力された画像信号がコンポーネント入力であるか否かを判断する（ステップＳ５４）。画像信号受信部１０に入力された画像信号がコンポーネント入力である場合（ステップＳ５４におけるＹｅｓの場合）、コンポーネントを選択する（ステップＳ５６）。
【００６１】
画像信号受信部１０に入力された画像信号がコンポーネント入力でない場合（ステップＳ５４におけるＮｏの場合）、画像信号受信部１０に入力された画像信号がＤ端子入力であるか否かを判断する（ステップＳ５８）。画像信号受信部１０に入力された画像信号がＤ端子入力である場合（ステップＳ５８におけるＹｅｓの場合）、Ｄ端子を選択する（ステップＳ６０）。
【００６２】
画像信号受信部１０に入力された画像信号がＤ端子入力でない場合（ステップＳ５８におけるＮｏの場合）、画像信号受信部１０に入力された画像信号がＳ端子入力であるか否かを判断する（ステップＳ６２）。画像信号受信部１０に入力された画像信号がＳ端子入力である場合（ステップＳ６２におけるＹｅｓの場合）、Ｓ端子を選択する（ステップＳ６４）。
【００６３】
画像信号受信部１０に入力された画像信号がＳ端子入力でない場合（ステップＳ６２におけるＮｏの場合）、画像信号受信部１０に入力された画像信号がコンポジット入力であるか否かを判断する（ステップＳ６６）。画像信号受信部１０に入力された画像信号がコンポジット入力である場合（ステップＳ６６におけるＹｅｓの場合）、コンポジット入力を選択する（ステップＳ６８）。
【００６４】
そして、画像信号受信部１０に入力された画像信号がコンポジット入力でない場合（ステップＳ６８におけるＮｏの場合）、Ｄ−Ｓｕｂを選択する（ステップＳ７０）。
【００６５】
以上の手順によって、選択処理部５０で選択する画像信号を決定してもよい。なお、ここに挙げたＨＤＭＩ〜Ｄ−Ｓｕｂは、入力信号の一例であり、本発明がこれに限定されるものではない。また、これらの優先順位についても、これに限られるものではない。
【００６６】
以上に説明した投射型画像表示装置１によると、画像を表示させるまでにユーザが行わなければならない操作が少なく、ユーザビリティに優れた投射型画像表示装置を提供することができる。すなわち、投射型画像表示装置１によると、待機モードに設定されているときに、画像信号受信部１０に画像信号が入力されたことを検出すると、画像表示処理部２０に電力を供給する処理が開始され、投射型画像表示装置１が画像を表示する処理を開始する。すなわち、投射型画像表示装置１によると、待機モードに設定されているときに画像信号受信部１０に画像信号が入力されると、ユーザが特定の操作を行わなくても、画像を表示させることができる。そのため、画像を表示させるまでに必要なユーザの操作が少ない、ユーザビリティに優れた投射型画像表示装置を提供することができる。
【００６７】
また、本発明によると、待機モードに設定されているときに、電力の供給先を、検出部１２（画像信号受信部１０）のみとすることができる。そのため、待機モードに設定されたときの投射型画像表示装置１の消費電力を低下させることができる。
【００６８】
さらに、本発明によると、画像表示モードに設定されているときに、画像信号受信部１０への画像の入力が停止したことを検出すると、電力供給制御部６０は、画像表示処理部２０への電力の供給を停止し、投射型画像表示装置１が待機モードに移行する。すなわち、投射型画像表示装置１によると、ユーザが特別な操作を行わなくても、画像表示モードから待機モードに移行される、ユーザビリティに優れた投射型画像表示装置を提供することができる。
【００６９】
本発明は、上述の実施の形態に限定されるものではなく、種々の変形が可能である。本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００７０】
【図１】投射型画像表示装置の構成について説明するための図。
【図２】投射型画像表示装置の概要について説明するための図。
【図３】投射型画像表示装置の動作について説明するための図。
【図４】投射型画像表示装置の動作について説明するための図。
【図５】投射型画像表示装置の動作について説明するための図。
【図６】投射型画像表示装置の動作について説明するための図。
【符号の説明】
【００７１】
１…投射型画像表示装置、  ２…プロジェクタ、  １０…画像信号受信部、  １２…検出部、  ２０…画像表示処理部、  ３０…放電灯ユニット、  ３２…放電灯、  ３４…放電灯制御部、  ３６…投射レンズ、  ４０…画像処理ユニット、  ４２…変調部、  ４４…駆動制御部、  ４６…画像処理部、  ５０…選択処理部、  ６０…電力供給制御部、  ７０…スクリーン制御部、  ７２…電動スクリーン、  ８０…主制御部、  １００…優先順位情報
【図１】
2008242005.tif 000004
【図２】
2008242005.tif 000005
【図３】
2008242005.tif 000006
【図４】
2008242005.tif 000007
【図５】
2008242005.tif 000008
【図６】
2008242005.tif 000009